(57)【要約】【課題】筐体の内部への水の浸入を正確に判定できる電子機器を提供すること。【解決手段】電子機器１は、ケース部材２２及びケース部材２２の外面における少なくとも一部を覆う蓋部２４を有し、ケース部材２２の外面と蓋部２４の内面との間に第１隙間部２９が形成される筐体２と、ケース部材２２又は蓋部２４のうち第１隙間部２９に面する外面に配置される水濡れ判定部材２５４と、ケース部材２２及び蓋部２４のうち少なくとも一方の第１隙間部２９に面する外面に形成され第１隙間部２９に浸入した水を水濡れ判定部材２５４側に導く導水部２５３と、を備える。【選択図】図５
2009267645.tif 000002
【特許請求の範囲】
【請求項１】
ケース部材及び該ケース部材の外面における少なくとも一部を覆う蓋部を有し、前記ケース部材の外面と前記蓋部の内面との間に第１隙間部が形成される筐体と、
前記ケース部材又は前記蓋部のうち前記第１隙間部に面する外面に配置される水濡れ判定部材と、
前記ケース部材及び前記蓋部のうち少なくとも一方の前記第１隙間部に面する外面に形成され前記第１隙間部に浸入した水を前記水濡れ判定部材側に導く導水部と、を備える電子機器。
【請求項２】
前記ケース部材の内部に、電子部品を搭載した回路基板が配置された空間を備え、
前記ケース部材には、前記第１隙間部から前記空間に水が浸入する経路となる第２隙間部が形成され、
前記導水部の一方側の端部は、前記第２隙間部の近傍に延びている請求項１に記載の電子機器。
【請求項３】
前記導水部は、前記ケース部材の側縁の少なくとも一部に沿うように設けられる請求項１又は２に記載の電子機器。
【請求項４】
外部から筐体内部に水が浸入する経路となる第１隙間部と、
前記第１隙間部に向かう面に配置された水濡れ判定部材と、
前記第１隙間部に向かう面における前記第１隙間部の近傍に一端が形成され筐体内部に浸入した水を前記水濡れ判定部材に導く導水部と、を備える電子機器。
【請求項５】
前記導水部に連続して形成される凹部を更に備え、
前記水濡れ判定部材は、前記凹部に配置される請求項１から４のいずれか１項に記載の電子機器。
【請求項６】
前記導水部は、溝形状により形成される請求項１から５のいずれか１項に記載の電子機器。
【発明の詳細な説明】
【技術分野】
【０００１】
本発明は、携帯電話機等の電子機器に関する。
【背景技術】
【０００２】
電子機器としての携帯電話機は、水に濡れた場合に、携帯電話機を構成する筐体の隙間から筐体の内部に水が浸入し、筐体の内部に収容された回路基板等が水に濡れることで、故障する場合がある。このような水濡れによる故障の場合は、携帯電話機の無償修理の保証期間中であっても保証の対象外となり、有償修理となる。
そこで、携帯電話機が故障した場合に、その故障の原因が水濡れによるものであるかどうかを判定するために、筐体に水濡れ判定シート等の水濡れ判定部材を配置することが行われている（例えば、特許文献１参照）。
【特許文献１】特開２０００−１０６５９６号公報
【０００３】
特許文献１で提案された水濡れ判定部材は、トレーシングペーパーからなる吸水性を有するシートに、水溶性のインクで模様等を付したものである。この水濡れ判定部材に水が付着すると、シートに付された模様等が滲むことで水濡れを判定できる。
【０００４】
従来の携帯電話機では、このような水濡れ判定部材を、筐体の内部に水が浸入しやすい部分に配置しておき、携帯電話機が故障した場合には、配置した水濡れ判定部材のインクの滲みを確認することで、故障の原因が水濡れによるものであるかどうかを判定している。
【発明の開示】
【発明が解決しようとする課題】
【０００５】
しかし、携帯電話機を構成する筐体においては、通常、水が浸入しやすい部位は、複数箇所ある。そこで、筐体の内部への水の浸入を正確に判定するためには、筐体における水が浸入しやすい部位それぞれに水濡れ判定部材を配置する必要があった。
そのため、従来の携帯電話機では、複数の水濡れ判定部材を配置することで携帯電話機の組み立て工数が増加して、携帯電話機の製造の効率が悪くなるという問題があった。また、携帯電話機のコストが高くなるという問題もあった。
【０００６】
従って、本発明は、筐体の内部への水の浸入を正確に判定できる電子機器を提供することを目的とする。
【課題を解決するための手段】
【０００７】
本発明は、ケース部材及び該ケース部材の外面における少なくとも一部を覆う蓋部を有し、前記ケース部材の外面と前記蓋部の内面との間に第１隙間部が形成される筐体と、前記ケース部材又は前記蓋部のうち前記第１隙間部に面する外面に形成される水濡れ判定部材と、前記ケース部材及び前記蓋部のうち少なくとも一方の前記第１隙間部に面する外面に配置され前記第１隙間部に浸入した水を前記水濡れ判定部材側に導く導水部と、を備える電子機器に関する。
【０００８】
また、前記ケース部材の内部に、電子部品を搭載した回路基板が配置された空間を備え、前記ケース部材には、前記第１隙間部から前記空間に水が浸入する経路となる第２隙間部が形成され、前記導水部の一方側の端部は、前記第２隙間部の近傍に延びていることが好ましい。
【０００９】
また、前記導水部は、前記ケース部材の側縁の少なくとも一部に沿うように設けられることが好ましい。
【００１０】
本発明は、外部から筐体内部に水が浸入する経路となる第１隙間部と、前記第１隙間部に向かう面に配置された水濡れ判定部材と、前記第１隙間部に向かう面における前記第１隙間部の近傍に一端が形成され筐体内部に浸入した水を前記水濡れ判定部材に導く導水部と、を備える電子機器に関する。
【００１１】
また、前記導水部に連続して形成される凹部を更に備え、前記水濡れ判定部材は、前記凹部に配置されることが好ましい。
【００１２】
また、前記導水部は、溝形状により形成されることが好ましい。
【発明の効果】
【００１３】
本発明の電子機器によれば、筐体の内部への水の浸入を正確に判定できる。
【発明を実施するための最良の形態】
【００１４】
以下、本発明を実施するための好ましい一実施形態について、図面を参照しながら説明する。まず、本発明の電子機器の一実施形態である携帯電話機１の基本構造について、図１から図３を参照しながら説明する。
【００１５】
図１は、本発明の一実施形態に係る携帯電話機１について、操作部側筐体２と表示部側筐体３とを開いた状態で示す斜視図である。図２は、図１に示す携帯電話機１を折り畳んだ状態で、表示部側筐体３をリアケース３０ｂ側から見た斜視図である。図３は、図１に示す携帯電話機１を折り畳んだ状態で、操作部側筐体２をリアケース２２側から見た図である。
【００１６】
携帯電話機１は、折り畳み型の携帯電話機１であり、略直方体形状の操作部側筐体２と、略直方体形状の表示部側筐体３と、操作部側筐体２と表示部側筐体３とを連結する連結部４と、を備える。
【００１７】
操作部側筐体２の上端部と表示部側筐体３の下端部とは、連結部４を介して開閉可能に連結されている。つまり、連結部４は、表示部側筐体３と操作部側筐体２とを開閉軸Ｐを中心に開閉可能に連結している。
携帯電話機１は、連結部４を介して連結された操作部側筐体２と表示部側筐体３とを相対的に回転（回動）することにより、操作部側筐体２と表示部側筐体３とを互いに開いた状態（開放状態）にしたり、操作部側筐体２と表示部側筐体３とを折り畳んだ状態（折畳み状態）にしたりできる。
【００１８】
表示部側筐体３は、図１及び図２に示すように、その外面が、フロントケース３０ａ及びリアケース３０ｂを主体として構成される。
【００１９】
表示部側筐体３の前面３ａは、フロントケース３０ａ及びフロントパネル３３を主体として構成されている。前面３ａは、携帯電話機１を折り畳んだ状態で操作部側筐体２と向かい合う面である。表示部側筐体３の背面３ｂは、リアケース３０ｂを主体として構成されている。背面３ｂは、前面３ａとは反対側の面である。
【００２０】
表示部側筐体３内には、各種情報を表示させるメイン液晶モジュール３４が配置されており、メイン液晶モジュール３４は、その一方の面に設けられたメイン表示部３４ａが、透明部分を主体とするフロントパネル３３を介して、フロントケース３０ａに形成された開口部から表示部側筐体３の前面３ａに露出するように配置されている。
【００２１】
また、フロントケース３０ａには、通話の相手側における音声を出力する音声出力部３１が形成されている。音声出力部３１は、表示部側筐体３の長手方向における連結部４とは反対の端部側に配置される。つまり、音声出力部３１は、携帯電話機１の開状態における表示部側筐体３側の端部近傍に配置される。
【００２２】
表示部側筐体３のリアケース３０ｂ側には、図２に示すように、各種情報を表示させるサブ液晶モジュール３６が配置されており、サブ液晶モジュール３６は、その一方の面に設けられたサブ表示部３６ａが、リアケース３０ｂの透明部分を介して表示部側筐体３の背面３ｂに露出するように配置されている。
【００２３】
メイン液晶モジュール３４及びサブ液晶モジュール３６は、それぞれ、メイン表示部３４ａ及びサブ表示部３６ａを構成する液晶パネル、この液晶パネルを駆動する駆動回路、この液晶パネルの背面側から光を照射するバックライト等の光源部等から構成される。
【００２４】
次に、操作部側筐体２について説明する。図４は、操作部側筐体２の分解斜視図である。
【００２５】
図１、図３及び図４に示すように、操作部側筐体２は、その外面がフロントケース２１と、ケース部材としてのリアケース２２と、蓋部２４とを主体として構成されている。フロントケース２１は、操作部側筐体２の前面２ａ側を構成する。操作部側筐体２の前面２ａは、携帯電話機１を折り畳んだ状態で表示部側筐体３と向かい合う面である。リアケース２２及び蓋部２４は、前面２ａと反対側の面である背面２ｂ側を構成する。操作部側筐体２の背面２ｂ側の構成については後述する。
【００２６】
操作部側筐体２の側面２ｃには、例えば、外部機器（例えば、ホスト装置）とデータの送受信を行うためのインターフェース、ヘッドホン／マイク端子、着脱可能な外部メモリのインターフェースが設けられている。
【００２７】
図１に示すように、フロントケース２１は、操作キー群１１が前面２ａに露出するように構成されている。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。
【００２８】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２９】
操作部側筐体２の前面２ａには、携帯電話機１の使用者が通話時に発した音声が入力される音声入力部１２が形成されている。音声入力部１２は、操作部側筐体２の長手方向における連結部４とは反対側の端部近傍に配置される。つまり、音声入力部１２は、携帯電話機１の開状態において長手方向の一方の端部側に配置される。
【００３０】
フロントケース２１とリアケース２２とは、互いの凹状の内側面が向き合うように配置され、互いの外周縁が重なり合うようにして結合される。また、フロントケース２１とリアケース２２との間には、フロントケース２１側から順に、キーシート５０と、フレキシブル配線基板６０と、縦長のシールドケース７０と、回路基板８０と、バッテリＱと、が、積層配置されて内蔵される（図４参照）。
【００３１】
回路基板８０の上面８０ａ側（操作部側筐体２の前面２ａ側）及び下面８０ｂ側（操作部側筐体２の背面２ｂ側）には複数の電子部品８１が実装されている。複数の電子部品８１は、所定の組み合わせにより回路ブロック（図示せず）等を形成する。
回路基板８０の所定箇所には、基準電位パターン層（図示せず）が設けられている。基準電位パターン層は、例えば、回路基板８０の下面８０ｂにおける側縁部近傍に設けられている。
【００３２】
シールドケース７０は、回路基板８０の上面８０ａ側に実装された複数の電子部品８１を覆う部材である。シールドケース７０は、導電性の部材からなり、回路基板８０における回路ブロックを遮蔽するために設けられる。また、シールドケース７０は操作部側筐体２の強度を向上させる役目も果たす。
シールドケース７０は、強度を確保する観点から金属から形成されていることが好ましいが、インサート成形により部分的に合成樹脂から形成することもできる。
【００３３】
フレキシブル配線基板６０は、シールドケース７０の上面７０ａ側に積層配置され、複数のキースイッチ６１〜６３を有する。フレキシブル配線基板６０は、複数の絶縁層（絶縁フィルム）の間に配線を挟み込んで形成されている。フレキシブル配線基板６０は、キーシート５０側に、キートップとしての機能設定操作キー１３、入力操作キー１４及び決定操作キー１５にそれぞれ対応して、複数のキースイッチ６１、６２、６３を備える。キースイッチ６１、６２、６３は、椀状に湾曲して立体的に形成された金属板のメタルドームを有する。メタルドームは、その椀状形状の頂点が押圧されると、フレキシブル配線基板６０の表面に印刷された電気回路（図示せず）に形成されるスイッチ端子に接触して、電気的に導通するように構成される。
【００３４】
キーシート５０は、フレキシブル配線基板６０に積層配置され、複数のキースイッチ６１、６２、６３を押圧可能な押し子と、操作面を有するキートップとが、弾性を有するシリコン等で構成されたシートに設けられて構成されている。
キーシート５０は、シリコンゴム製の基体シート５１の表面に操作キー群１１のキートップが接着剤により貼り付けられて構成される。キーシート５０における操作キー群１１を構成する機能設定操作キー１３、入力操作キー１４及び決定操作キー１５は、フレキシブル配線基板６０におけるキースイッチ６１、６２、６３と対向する位置に配置されると共に、フロントケース２１に形成されるキー孔１３ａ、１４ａ、１５ａから露出するように配置される。
【００３５】
フロントケース２１における操作部側筐体２の前面２ａ側には、キー孔１３ａ、１４ａ、１５ａが形成されている。キー孔１３ａ、１４ａ、１５ａのそれぞれからは、機能設定操作キー１３の押圧面、入力操作キー１４の押圧面、及び決定操作キー１５の押圧面が露出する。この露出した機能設定操作キー１３の押圧面、入力操作キー１４の押圧面及び決定操作キー１５の押圧面を押し下げるように押圧することで、対応するキースイッチ６１、６２、６３それぞれに設けられるメタルドームにおける椀状形状の頂点は、押圧されて、スイッチ端子に接触して電気的に導通する。
【００３６】
次に、操作部側筐体２の背面２ｂ側の構成について、図５から図９等を参照しながら説明する。
図５は、蓋部２４とリアケース２２とを分離させた状態の操作部側筐体２を背面２ｂ側から見た斜視図である。図６は、図５の部分拡大図である。図７は、図３のＸ−Ｘ線断面図である。図８は、図３のＹ−Ｙ線断面図である。図９は、図３のＺ−Ｚ線断面図である。
【００３７】
上述のように、操作部側筐体２の背面２ｂ側は、リアケース２２と、リアケース２２の外面における少なくとも一部を覆う蓋部２４とを主体として構成される。
【００３８】
図４に示すように、リアケース２２は、回路基板８０の下面８０ｂ側に配置される。
リアケース２２には、操作部側筐体２の厚さ方向（背面２ｂから前面２ａに向かう方向）に貫通したバッテリ収納開口２３が形成されている。バッテリＱは、バッテリ収納開口２３に背面２ｂ側から収納される。
【００３９】
蓋部２４は、バッテリ収納開口２３の背面２ｂ側を覆うように配置される。詳細には、蓋部２４は、バッテリ収納開口２３及びリアケース２２の外面におけるバッテリ収納開口２３の周縁部である第１外面２５を覆う。
【００４０】
図７から図９に示すように、蓋部２４がリアケース２２の外面側に配置された状態で、リアケース２２の第１外面２５と蓋部２４の内面との間には、隙間が形成され、この隙間が第１隙間部としての第１空間２６となっている。つまり、第１外面２５は、第１空間２６に面している。
【００４１】
図５及び図６に示すように、リアケース２２の第１外面２５には、２つの第１開口部２５１と、水濡れ判定部材としての水没判定シート２５４が内部に配置された凹部２５２と、第１開口部２５１と凹部２５２とをつなぐように形成された導水部としての溝部２５３と、が設けられる。
第１開口部２５１は、この第１開口部２５１に対向して配置された電子部品８１としてのバッテリ充電用の充電端子８１ａを露出させる。充電端子８１ａは、リアケース２２の内面側に配置される回路基板８０の下面８０ｂ側に実装される（図４参照）。
本実施形態では、第１開口部２５１は、第１外面２５において、リアケース２２の長手方向に沿う側縁の近傍に設けられている。
【００４２】
凹部２５２は、第１開口部２５１から所定距離をあけて設けられる。
本実施形態では、凹部２５２は、リアケース２２の長手方向における一方側の端部近傍であって、第１開口部２５１が設けられた側の側縁の近傍に設けられる。
【００４３】
凹部２５２には、水没判定シート２５４が収容配置される。
水没判定シート２５４は、携帯電話機１が故障した場合に、その故障の原因が、水濡れによるものであるかどうかを判定するために設けられる。
水没判定シート２５４は、例えば、吸水性を有するシートに、水溶性のインクで模様等を付したものである。水没判定シート２５４に水が付着すると、水没判定シート２５４に付された模様等が滲む。従って、この水没判定シート２５４に付された模様等が滲んでいるかどうかを調べることで、水濡れを判定できる。
【００４４】
溝部２５３は、その一端２５３ａが第１開口部２５１に連続し、他端２５３ｂが凹部２５２に連続して形成されている。
本実施形態では、第１開口部２５１及び凹部２５２は、リアケース２２における同じ側の側縁の近傍に設けられている。よって、溝部２５３は、リアケース２２の一方側の側縁に沿うように延びている。
【００４５】
図５及び図６に示すように、凹部２５２の近傍には、ねじ穴２５５が設けられている。ねじ穴２５５は、リアケース２２を厚さ方向に貫通している（図９参照）。このねじ穴２５５には、ねじ２５６が螺合されてリアケース２２とフロントケース２１とを結合させる。
図９に示すように、ねじ穴２５５にねじ２５６が螺号された状態においては、ねじ穴２５５とねじ２５６との間には、わずかな隙間（以下、第２隙間部２７という）が形成される。つまり、第１空間２６と、リアケース２２の内部の空間である第２空間２８とは、第２隙間部２７において連通している。
【００４６】
図３に示すように、蓋部２４には、２つの第２開口部２４１が形成される。第２開口部２４１は、蓋部２４がリアケース２２の外面側に配置された状態で、第１開口部２５１と操作部側筐体２の厚さ方向に重なり合う位置に設けられ、充電端子８１ａを露出させる。
また、図７に示すように、第２開口部２４１は、外部空間と第１空間２６とを連通させており、第１隙間部２９の一部を構成している。即ち、第２開口部２４１は、外部から水が浸入する浸入経路となっている。
第２開口部２４１は、第１開口部２５１と重なりあう位置に設けられており、溝部２５３の一端２５３ａは、第１開口部２５１につながっている。つまり、溝部２５３の一端２５３ａは、第１隙間部２９である第２開口部２４１の近傍に位置している。
【００４７】
続いて、本実施形態の携帯電話機１が水に濡れた場合における操作部側筐体２の内部への水の浸入経路について図３及び図７から図９を参照しながら説明する。
まず、操作部側筐体２の外面が水に濡れると、操作部側筐体２の外面に付着した水は、第１隙間部２９である第２開口部２４１から第１空間２６に浸入する（図３及び図７参照）。
【００４８】
第２開口部２４１から第１空間２６に浸入した水は、一端２５３ａが第２開口部２４１の近傍に設けられた溝部２５３に導かれて凹部２５２が設けられている溝部２５３の他端２５３ｂに向かって移動する（図３及び図８参照）。
溝部２５３の他端２５３ｂに向かって移動した水は、凹部２５２に到達して凹部２５２に配置された水没判定シート２５４を濡らす。これにより、水没判定シート２５４に付された模様等は滲む（図３及び図９参照）。
【００４９】
凹部２５２に到達した水は、次に、凹部２５２の近傍に形成されたねじ穴２５５に到達し、ねじ穴２５５とねじ２５６との間に形成された第２隙間部２７を通って回路基板８０等が収容された第２空間２８に浸入し得る（図３及び図９参照）。
【００５０】
第２空間２８に水が浸入した場合は、回路基板８０に搭載された電子部品８１等に接触する可能性を有する。
【００５１】
本実施形態によれば、リアケース２２の第１外面２５に、第１隙間部２９と水没判定シート２５４とをつなぐ溝部２５３を設けたので、外部から第１隙間部２９を通って第１空間２６に浸入した水は、溝部２５３に導かれて水没判定シート２５４を濡らす。よって、操作部側筐体２に配置する水没判定シート２５４の数を減らしても操作部側筐体２の内部への水の浸入を正確に判定できる。
また、操作部側筐体２に配置する水没判定シート２５４の数を減らせるので、携帯電話機１の組み立て工数を削減でき、携帯電話機１の製造効率が向上する。また、携帯電話機１のコストを削減できる。
【００５２】
また、溝部２５３の他端２５３ｂを第２隙間部２７の近傍まで延ばして設けた。これにより、溝部２５３の一端２５３ａと他端２５３ｂとの間に形成された第２開口部２４１とは異なる第１隙間部から第１空間２６に水が浸入しても、浸入した水は、溝部２５３に導かれて水没判定シート２５４を濡らす。よって、複数の第１隙間部から第１空間２６に浸入した水を一枚の水没判定シート２５４に導けるので、水没判定シート２５４の数を減らしても操作部側筐体２の内部への水の浸入を正確に判定できる。
【００５３】
また、水没判定シート２５４を第２隙間部２７の近傍に配置したので、第１空間２６に浸入した水は、溝部２５３に導かれて水没判定シート２５４を濡らした後に、第２隙間部２７から第２空間２８に浸入する。これにより、操作部側筐体２の内部への水の浸入を判定する精度がより向上する。
【００５４】
ところで、携帯電話機１においては、上述したように、第１空間２６に水が浸入可能な第１隙間部２９は、第２開口部２４１以外にも形成される。例えば、第１隙間部は、蓋部２４の周縁部とリアケース２２との境界部分であるリアケース２２の側縁部にも形成される。
そこで、溝部２５３をリアケース２２の側縁に沿うように設けた。これにより、例えば、水がリアケース２２における溝部２５３が設けられた側縁側から第１空間２６に浸入しても、浸入した水は溝部２５３に導かれて水没判定シート２５４を濡らす。よって、一枚の水没判定シート２５４により、精度よく水の浸入を判定できる。
【００５５】
また、この場合、側縁側から第１空間２６に浸入した水は、溝部２５３よりもリアケース２２の内側には浸入しにくいので、溝部２５３の内側に収容されたバッテリＱが水に接触するのを防止できる。
【００５６】
以上、本発明の一実施形態について説明したが、本発明は前述した実施形態に制限されるものではなく、適宜変更が可能である。
例えば、本実施形態では、第２隙間部２７は、ねじ穴２５５とねじ２５６との間に形成されたが、これに限らない。第２隙間部は、例えば、第２空間２８に収容された電子部品を外部に露出させるためにリアケース２２に設けられる開口部（図示せず）にも形成され得る。また、フロントケース２１とリアケース２２の嵌合部において形成される隙間も第２隙間部となり得る。
【００５７】
また、本実施形態では、溝部２５３は、リアケース２２の長手方向に延びる側縁に沿うように設けられたが、これに限らない。溝部は、リアケース２２の幅方向に延びる側縁に沿うように設けてもよく、また、バッテリ収納開口２３の周縁を囲むように設けてもよい。
溝部をバッテリ収納開口の周縁を囲むように設けることにより、リアケース２２の周縁に形成された何れの第１隙間部から第１空間に水が浸入しても、浸入した水を溝部に導ける。
【００５８】
また、本実施形態においては、本発明を操作部側筐体２に適用しているが、これに制限されず、例えば表示部側筐体３に適用してもよい。
【００５９】
本実施形態における連結部４は、表示部側筐体３と操作部側筐体２とを開閉軸Ｐを中心に開閉可能に連結しているが、連結部４は、表示部側筐体３と操作部側筐体２とを開閉軸Ｐを中心に開閉可能に連結すると共に、開閉軸Ｐに直交する回動軸を中心に回動可能に連結するいわゆる２軸ヒンジ機構を備えていてもよい。
【００６０】
また、本発明の電子機器は、前記実施形態のような折り畳み式ではなく、操作部側筐体２と表示部側筐体３とを重ね合わせた状態から一方の筐体を一方向にスライドさせるようにしたスライド式の電子機器であってもよい。また、操作部側筐体２と表示部側筐体３との重ね合せ方向に沿う軸線を中心に一方の筐体を回転させるようにした回転式（リボルバ）の電子機器であってもよい。
【００６１】
本発明は、携帯電話機以外の携帯電子機器に適用することができ、また携帯電子機器以外の電子機器にも適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
【００６２】
更に、携帯電子機器以外の電子機器としては、例えば、電子辞書、電卓、電子手帳、デジタルカメラ、ビデオカメラ、ラジオ等が挙げられるが、これらのみに限定されるものではない。
【図面の簡単な説明】
【００６３】
【図１】本発明の一実施形態に係る携帯電話機について、操作部側筐体と表示部側筐体とを開いた状態で示す斜視図である。
【図２】図１に示す携帯電話機を折り畳んだ状態で、表示部側筐体をリアケース側から見た斜視図である。
【図３】図１に示す携帯電話機を折り畳んだ状態で、操作部側筐体をリアケース側から見た図である。
【図４】操作部側筐体の分解斜視図である。
【図５】蓋部２４とリアケース２２とを分離させた状態の操作部側筐体２を背面２ｂ側から見た斜視図である。
【図６】図５の部分拡大図である。
【図７】図３のＸ−Ｘ線断面図である。
【図８】図３のＹ−Ｙ線断面図である。
【図９】図３のＺ−Ｚ線断面図である。
【符号の説明】
【００６４】
１  携帯電話機（電子機器）
２  操作部側筐体（筐体）
３  表示部側筐体
４  連結部
２１  フロントケース
２２  リアケース（ケース部材）
２４  蓋部
２５  第１外面
２６  第１空間
２７  第２隙間部
２８  第２空間
２９  第１隙間部
２５２  凹部
２５３  溝部（導水部）
２５４  水没判定シート（水濡れ判定部材）
【図１】
2009267645.tif 000003
【図２】
2009267645.tif 000004
【図３】
2009267645.tif 000005
【図４】
2009267645.tif 000006
【図５】
2009267645.tif 000007
【図６】
2009267645.tif 000008
【図７】
2009267645.tif 000009
【図８】
2009267645.tif 000010
【図９】
2009267645.tif 000011